【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
矩形波の第１の信号と、前記第１の信号と位相が９０度異なる矩形波の第２の信号とを出力するレファレンス信号生成回路と、
前記第１の信号及び前記第２の信号が入力され、サイン波の第１の出力信号とサイン波の第２の出力信号とを生成する、調整対象回路のレプリカ回路と、
前記第１の出力信号及び前記第２の信号が入力され、前記調整対象回路及び前記レプリカ回路に対して、トランスコンダクタンス調整信号を出力する調整信号生成回路とを含み、
前記レファレンス信号生成回路は、
クロック信号に基づいて、第１の電圧レベルと第２の電圧レベルとの間で電圧が変化する前記第１の信号及び前記第２の信号を生成し、前記レプリカ回路に対して出力する、トランスコンダクタンス調整回路。
【請求項２】
請求項１において、
前記第１の信号及び前記第２の信号の振幅は、前記クロック信号の振幅の１／２以下である、トランスコンダクタンス調整回路。
【請求項３】
請求項２において、
前記レファレンス信号生成回路は、
前記クロック信号に基づいて、位相が異なる第１の矩形波信号〜第ｎ（ｎは２以上の整数）の矩形波信号を生成する信号生成回路と、
前記第１の矩形波信号〜前記第ｎの矩形波信号が入力され、電圧レベルの変換処理を行って、前記第１の信号及び前記第２の信号を出力する電圧レベル変換回路とを有する、トランスコンダクタンス調整回路。
【請求項４】
請求項３において、
前記信号生成回路は、
前記クロック信号を分周する分周器と、
前記分周器により分周された信号を前記クロック信号によりシフトすることで、前記第１の矩形波信号〜前記第ｎの矩形波信号を出力するシフトレジスターとを有する、トランスコンダクタンス調整回路。
【請求項５】
請求項３又は４において、
前記電圧レベル変換回路は、
前記第１の電圧レベル及び前記第２の電圧レベルを生成する抵抗分割回路と、
前記第１の矩形波信号〜前記第ｎの矩形波信号に基づいてオン・オフされ、前記第１の電圧レベル及び前記第２の電圧レベルを交互に選択するスイッチ回路とを有し、
前記スイッチ回路は、
前記第１の電圧レベル及び前記第２の電圧レベルを交互に選択することで、前記第１の電圧レベルと前記第２の電圧レベルとの間で電圧が変化する前記第１の信号及び前記第２の信号を生成し、出力する、トランスコンダクタンス調整回路。
【請求項６】
請求項３又は４において、
前記電圧レベル変換回路は、
前記第１の矩形波信号〜前記第ｎの矩形波信号を減衰させるアッテネーターと、
前記アッテネーターにより減衰された信号の電圧レベルをシフトして、前記第１の電圧レベルと前記第２の電圧レベルとの間で電圧が変化する前記第１の信号及び前記第２の信号を生成し、出力するレベルシフト回路を有する、トランスコンダクタンス調整回路。
【請求項７】
請求項１乃至６のいずれかにおいて、
前記調整対象回路及び前記レプリカ回路は、共に複素バンドパスフィルター回路である、トランスコンダクタンス調整回路。
【請求項８】
請求項１乃至７のいずれかにおいて、
前記レプリカ回路は、
前記第１の信号が入力される第１の入力ノードと第１の出力ノードとの間に設けられる第１の抵抗素子と、
前記第２の信号が入力される第２の入力ノードと第２の出力ノードとの間に設けられる第２の抵抗素子と、
前記第１の出力ノードに一端が接続される第１のキャパシターと、
前記第２の出力ノードに一端が接続される第２のキャパシターと、
前記第１の出力ノードと前記第２の出力ノードとの間に設けられる１対の演算トランスコンダクタンス増幅器で構成される中心周波数シフト回路とを有する、トランスコンダクタンス調整回路。
【請求項９】
請求項８において、
前記調整信号生成回路は、
前記第２の信号と前記第１の出力ノードから出力される前記第１の出力信号とに基づいて、又は前記第１の信号と前記第２の出力ノードから出力される前記第２の出力信号とに基づいて、又は前記第１の信号と前記第１の出力信号とに基づいて、又は前記第２の信号と前記第２の出力信号とに基づいて、前記トランスコンダクタンス調整信号を生成する、トランスコンダクタンス調整回路。
【請求項１０】
請求項９において、
前記調整信号生成回路は、
前記第１の信号と前記第２の出力信号とが入力され、又は前記第２の信号と前記第１の出力信号とが入力されるミキサーと、
前記ミキサーからの第１のミキサー出力信号を平滑する第１の平滑回路と、
前記ミキサーからの第２のミキサー出力信号を平滑する第２の平滑回路と、
前記第１の平滑回路及び前記第２の平滑回路の出力信号を積算し、第１の積算電圧及び第２の積算電圧を生成する積算回路と、
前記積算回路からの前記第１の積算電圧及び前記第２の積算電圧に基づいて補正電流を生成する補正電流生成回路と、
基準バイアス電流を生成する基準バイアス電流生成回路と、
前記補正電流と前記基準バイアス電流とを加算する電流加算回路とを有し、
前記調整信号生成回路は、
前記電流加算回路により加算された電流に基づいて、前記トランスコンダクタンス調整信号を出力する、トランスコンダクタンス調整回路。
【請求項１１】
請求項９において、
前記調整信号生成回路は、
前記第１の信号と前記第２の出力信号とが入力され、又は前記第２の信号と前記第１の出力信号とが入力されるミキサーと、
前記ミキサーの出力を平滑する平滑回路と、
前記平滑回路の出力信号と基準電圧信号との差分信号を生成する差分信号生成回路と、
前記差分信号生成回路からの前記差分信号を積算し、積算電圧を生成する積算回路と、
前記積算回路からの前記積算電圧に基づいて補正電流を生成する補正電流生成回路と、
基準バイアス電流を生成する基準バイアス電流生成回路と、
前記補正電流と前記基準バイアス電流とを加算する電流加算回路とを有し、
前記調整信号生成回路は、
前記電流加算回路により加算された電流に基づいて、前記トランスコンダクタンス調整信号を出力する、トランスコンダクタンス調整回路。
【請求項１２】
請求項８乃至１１のいずれかにおいて、
前記レファレンス信号生成回路は、
前記第１の信号又は前記第２の信号と位相が異なる第３の信号を出力し、
前記調整信号生成回路は、
前記第３の信号と前記第１の出力信号とに基づいて、又は前記第３の信号と前記第２の出力信号とに基づいて、前記第１の抵抗素子、前記第２の抵抗素子及び前記調整対象回路に対して抵抗値を調整する信号を出力する、トランスコンダクタンス調整回路。
【請求項１３】
請求項１乃至１２のいずれかに記載のトランスコンダクタンス調整回路と、
前記調整対象回路とを含む、回路装置。
【請求項１４】
請求項１３において、
前記調整対象回路は、
演算トランスコンダクタンス増幅器を有する複素バンドパスフィルター回路であって、
前記トランスコンダクタンス調整信号に基づいて、前記演算トランスコンダクタンス増幅器のトランスコンダクタンスが調整される、回路装置。
【請求項１５】
請求項１３又は１４に記載の回路装置を含む、電子機器。
【手続補正２】
【補正対象書類名】明細書
【補正対象項目名】００１８
【補正方法】変更
【補正の内容】
【００１８】
このようにすれば、電圧レベル変換回路は、アッテネーターにより第1の矩形波信号〜第ｎの矩形波信号を減衰し、レベルシフト回路により減衰された信号の電圧レベルをシフトすることで、第１の電圧レベルと第２の電圧レベルとの間で電圧が変化し、且つ位相差が正確に９０度異なる第１、第２の信号を出力することができる。
【手続補正３】
【補正対象書類名】明細書
【補正対象項目名】００５９
【補正方法】変更
【補正の内容】
【００５９】
第１の平滑回路ＬＰＦ１は、ミキサーＭＸからの第１のミキサー出力信号ＶＭ１を平滑して、交流成分を除去して直流成分ＶＡ１を出力する。また、第２の平滑回路ＬＰＦ２は、ミキサーＭＸからの第２のミキサー出力信号ＶＭ２を平滑して、交流成分を除去して直流成分ＶＡ２を出力する。この直流成分ＶＡ１とＶＡ２との電圧差ＶＡ１−ＶＡ２は、ミキサーＭＸに入力される２つの信号（例えばＱとＯＩ）の位相差に依存する。なお、２つの信号（例えばＱとＯＩ）の位相差と調整対象回路（複素ＢＰＦ回路）２００の特性との関係については、後述する。
【手続補正４】
【補正対象書類名】明細書
【補正対象項目名】０１６５
【補正方法】変更
【補正の内容】
【０１６５】
第３の構成例のトランスコンダクタンス調整回路１００によれば、例えば第３の信号Ｐと第１の出力信号ＯＩとに基づいて、各抵抗素子ＲＡ１及びＲＡ２の抵抗値を調整することで、トランスコンダクタンス調整回路１００のレプリカ回路１１０（１次複素ＢＰＦ回路）の帯域幅、即ち２つ（高周波側及び低周波側）の遮断周波数ωＨ、ωＬを設計値（所望値）に補正することができる。ここで、１次複素ＢＰＦ回路の帯域幅の変動原因は受動素子として構成された抵抗素子ＲＡ１、ＲＡ２のプロセス、電源電圧及び温度による変動である。